【事件の表示】
　平成８年商標登録願第９９７８１号拒絶査定不服審判事件について、次のとおり審決する。
【結　論】
　本件審判の請求は、成り立たない。
【理　由】
１　本願商標
　本願商標は、「ＳＡＢＬＩＮＡ　ＶＡＬＥＮＴＩＮＯ」の文字を横書きしてなり、平成８年９月４日登録出願、第９類「写真機械器具，光学機械器具，眼鏡，電気通信機械器具，電気アイロン，電気式ヘアカーラー，電気式ワックス磨き機，電気掃除機，電気ブザー」を指定商品とするものである。
　　
２　原査定における拒絶の理由及び当審においてした審尋（求釈明）の内容
（１）原査定は、商標法第４条第１項第１５号該当を理由に本願を拒絶したものである。
（２）当審において、商標法第５６条第１項において準用する特許法第１５０条第１項に基づく証拠調べを行い、本願商標は、なお、原査定の拒絶の理由を免れないものとし、平成１３年１１月１日付審尋書をもって、改めて、請求人（出願人）に対して、意見書を述べるための期間を指定して、求釈明を行った内容は以下のとおりである。
〈審尋書〉
１．この出願に係る商標（以下「本願商標」という。）は、「ＳＡＢＬＩＮＡ　ＶＡＬＥＮＴＩＮＯ」の文字を横書きしてなるところ、その構成中に、後述するとおり、イタリア国在住のデザイナー「ＶＡＬＥＮＴＩＮＯ　ＧＡＲＡＶＡＮＩ」（オランダ国在の関連企業「バレンチノ　グローブ　ベスローテン　フェンノートシャップ社」を含む。）が「紳士・婦人服」等に使用している著名な商標「ＶＡＬＥＮＴＩＮＯ」の文字を含むものである。
　また、本願商標「ＳＡＢＬＩＮＡ　ＶＡＬＥＮＴＩＮＯ」が、一般に親しまれた特定の熟語を表すものとか、特定の人名を表すものとして知られているとかの事情は認められない。そして、本願商標は、その指定商品を「写真機械器具，光学機械器具，眼鏡，電気通信機械器具，電気アイロン，電気式ヘアカーラー，電気式ワックス磨き機，電気掃除機，電気ブザー」とするものである。
２．「ＶＡＬＥＮＴＩＮＯ　ＧＡＲＡＶＡＮＩ」（ヴァレンティノ　ガラヴァーニ）又は「ＶＡＬＥＮＴＩＮＯ」（ヴァレンティノ）の文字（標章）に関し、証拠調べを行ったところ、下記の事実を発見した。
　　　　　　　　　　　　　　　　記
（１）「ライフカタログＶＯＬ．１世界の一流品大図鑑」（昭和５１年６月５日株式会社講談社発行）の「ヴァレンティノ・ガラバーニ」の欄において「イタリアファッション界の旗手と呼ばれ、女性を最高に美しく見せるデザイナーとして高く評価されています。・・（略）ヴァレンティノは、１９５２年ジャン・デシーのアトリエ主任をした後・・（略）ファッションオスカー賞を獲得し国際的な名声を得ました。・・（略）今シーズンのヴァレンティノのデザイン傾向はクラシック。」との内容（第４４頁）、「ヴァレンティノ」の見出しで、「ブラウス、セーター」（第５４頁）、「ネクタイ」（第９１頁）の商品及び「一流ブランド物語ヴァレンティノ・ガラバーニ」の欄において「・・（略）ヴァレンティノ・ブティックには、女性用の衣服、スカーフなどのほか、男性用の衣服や靴まで揃えられている・・（略）」（第１８３頁）とそれぞれ掲載されていること。
（２）「ＥＵＲＯＰＥ一流ブランドの本（講談社ＭＯＯＫ第２巻第５号）」（昭和５２年１２月１日株式会社講談社発行）において、「ヴァレンティノガラバーニ」の所有する店舗の紹介と簡単な経歴が「婦人服」の商品と共に掲載（第９５頁）されていること。
（３）「ライフカタログＶＯＬ．８世界の一流品大図鑑’７８年版」（昭和５３年５月１０日株式会社講談社発行）において、「ヴァレンティノ」の見出しでの「ネクタイ」（第３２頁）、「シャツ」の商品の記載（第１３４頁）及び「ヴァレンティノ・ガラバーニ、・・（略）イタリアで『王様』の称号を与えられる世界一のプレタ・ポルテ界の第一人者」（第１３４頁）と記載されていること。
（４）「服飾辞典」（昭和５４年３月５日第１刷文化出版局発行）において、「ヴァレンティーノ〔Ｖａｌｅｎｔｉｎｏ〕の項にイタリアのデザイナーと記載され（第６４頁）、また、「イタリア　ヴァレンティノ・ガラヴァーニ〔Ｖａｌｅｎｔｉｎｏ　Ｇａｒａｂａｎｉ，１９３２〜〕」の項に、「イタリア北部の都市（ヴォゲラ）に生まれる。１７才でリセオ（中学）を中退、パリに行く。スチリストになるため、パリのサンジカ（パリ高級衣装店組合の学校）で技術を身につける。１９５１年、ジャン・デッセ（オート・クチュール）のもとで５年間アシスタントとして仕事をする。その後２年間、ギ・ラローシュのアシスタントをし、１９５８年独立、ヴァレンティーノ・クチュールの名でローマに店を開いた。・・（略）彼の最初の仕事は、フィレンツェのピッティ宮殿でのコレクションである。このコレクションは、〈白だけの服〉という珍しい演出であったが、その美しさはジャーナリストの間で評判となり、「ニューズ・ウィーク」「ライフ」「タイム」「ウィメンズ・ウェア・デイリー」各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのは、みごとである。ヴァレンティーノの洋服に対する考えは、まず個性が第一で、彼のコレクションからは、デテールでなく、そのエスプリをくみ取ってもらうことに重きをおく。・・（略）ヴァレンティーノは、現在、ローマのオート・クチュール界で最も好調なデザイナーといえる。以前から東洋風なエキゾティシズムが好きで、時によってトルコ風、アラブ風の特色がみられるが、最近は、キモノのセクシーさを１９５０年代のハリウッドの雰囲気に表現、あやしく美しいヴァレンティーノの世界をつくり出している。」旨の紹介記事が掲載（第２９頁及び第３０頁）されていること。
（５）「朝日新聞」（昭和５７年１１月２０日夕刊第３頁）において、世界の服をリードする３人のうちの１人として「バレンチノ」の紹介記事が掲載されていること。
（６）「ライフカタログＶＯＬ．２２　男の一流品大図鑑’８５年版」（昭和５９年１２月１日株式会社講談社発行）において、「ＶＡＬＥＮＴＩＮＯ　ＧＡＲＡＶＡＮＩ」「ヴァレンティノ・ガラヴァーニ」の文字と共に、「スーツ、ブルゾン、シャツ、ネクタイ、ベルト及びバッグ」の商品が掲載（第１３頁、第３７頁、第４９頁、第６５頁、第７５頁及び第８３頁）されていること。
（７）雑誌「ｎｏｎ-ｎｏ」１９８９年　Ｎｏ２３号（平成元年１２月５日株式会社集英社発行）において、「ヴァレンティノ　ガラバーニ」が単に「ヴァレンティノ」と略称され、商品「婦人服」等と共に掲載されていること。
（８）雑誌「ｍａｒｉｅ　ｃｌａｉｒｅ」（１９９６年２月１日中央公論社発行）において、今月の大特集／ファッション界最大のスター「ヴァレンティノ」の文字が表紙に大きく表示され、「ヴァレンティノの赤」、「ヴァレンティノを着た女性」、「ヴァレンティノをめぐる美しき女神たち」の文字とともに２４頁にわたって掲載（第６６頁ないし第８９頁）されていること。
（９）「英和商品名辞典」（１９９０年株式会社研究社発行）の［Ｖａｌｅｎｔｉｎｏ　Ｇａｒａｖａｎｉ］の項において、「イタリア　Ｒｏｍａのデザイナー　Ｖａｌｅｎｔｉｎｏ　Ｇａｒａｖａｎｉ（１９３２−）のデザインした婦人・紳士物の衣料品・毛皮・革製バッグ・革小物・ベルト・ネクタイ・アクセサリー・婦人靴・香水・ライター・インテリア用品など。Ｒｏｍａ，Ｆｉｒｅｎｚｅ，Ｍｉｌａｎｏなどにあるその店の名称は、Ｖａｌｅｎｔｉｎｏ（ｖは小文字で書くこともある）。・・・」との記事及びデザイナーとしての紹介記事が掲載（第４４７頁）されていること。
（１０）「世界の一流品大図鑑’９３年版」（平成５年５月２０日株式会社講談社発行）において、「ＶＡＬＥＮＴＩＮＯ」ブランドの香水が掲載（第２７８頁）されていること。
（１１）「岩波＝ケンブリッジ世界人名辞典」（１９９７年１１月２１日株式会社岩波書店発行）の［ガラヴァーニ］の項において「ヴァレンティノ　Ｇａｒａｖａｎｉ，Ｖａｌｅｎｔｉｎｏ通称ヴァレンティノ　Ｖａｌｅｎｔｉｎｏ（伊１９３３−）服飾デザイナー・・・・」との紹介記事が掲載（第２２３頁）されていること。同じく、［ヴァレンティノ　Ｖａｌｅｎｔｉｎｏ］の項において、「ガラヴァーニ、ヴァレンティノ」を見よとの指示見出し（第８４頁）があること。
（１２）「別冊チャネラー　ファッション・ブランド年鑑２００１」（２００１年１月２０日株式会社チャネラー発行）において、インポート「株式会社ヴァレンティノブティックジャパンの『ヴァレンティノ（ＶＡＬＥＮＴＩＮＯ）、直輸入（後略）』」（第５５０頁）、アクセサリー＆ファッション雑貨「ヴァレンティノ（ＶＡＬＥＮＴＩＮＯ）の『（品目）紳士ベルト、（商品特徴）イタリア、ファッション界の大御所的存在のヴァレンティノ・ガラバーニ（後略）』」（第７３９頁）と記載されていること。
（１３）雑誌「ＪＪジェイジェイ１月号」（２００１年１月１日光文社発行）において、「ＶＡＬＥＮＴＩＮＯ、小物が評判のヴァレンティノ実は洋服も上品なセンスで要注目」の記事及び「Ｖのロゴ」の背景入りの写真が掲載（第９９頁）されていること。
（１４）「流通サービス新聞」（１９９１年３月１２日　７頁　日刊工業新聞社発行）において、「インタービジョン（東京）は、伊『モスキーノ』のめがねフレーム、サングラスを発売。同社はほかに・・（略）『ヴァレンティノ・ガラヴァーニ』、・・（略）を販売している。ライセンス品はフレーム８、サングラス４、インポートはサングラスのみ８の各タイプ。・・（略）全国約三百店舗で販売する。」と記載されていること。
（１５）眼鏡光学出版株式会社のインターネットにおいて、「眼鏡フレーム・ブランドリスト」に他のブランド名と共に「ヴァレンティノ　ガラヴァーニ」が掲載されていること。（ｈｔｔｐ：／／ｍｅｍｂｅｒ．ｎｉｆｔｙ．ｎｅ．ｊｐ／ｙａｓｕｂｅｅ／ｏｐｔ／ｋ＿ｂｒａｎｄ２．ｈｔｍ）。
（１６）ナイスメガネ（宮城県名取市倉田）のインターネットホームページにおいて、眼鏡の取扱品に「ヴァレンティノ　ガラヴァーニ」のブランドが掲載されていること。（ｈｔｔｐ：／／ｗｗｗ．ｎｉｃｅｍｅｇａｎｅ．ｃｏｍ／）。
（１７）本願商標の指定商品中の、特に「眼鏡」については、ヴァレンティノ　ガラヴァーニに係る標章、いわゆる「Ｖのロゴマーク」と「ＶＡＬＥＮＴＩＮＯ」の文字とを併せ表示した標章の下に眼鏡を取り扱う店舗において販売されているのが実状である。
３．以上の事実よりすると、「ＶＡＬＥＮＴＩＮＯ　ＧＡＲＡＶＡＮＩ」「Ｖａｌｅｎｔｉｎｏ　Ｇａｒａｖａｎｉ」「ｖａｌｅｎｔｉｎｏ　ｇａｒａｖａｎｉ」「ヴァレンティノ・ガラバーニ」「ヴァレンティノ　ガラヴァーニ」「ＶＡＬＥＮＴＩＮＯ」「Ｖａｌｅｎｔｉｎｏ」「バレンチノ」「ヴァレンティノ」よりなる商標（以下「引用商標」という。）は、ヴァレンティノ・ガラヴァーニ（ＶＡＬＥＮＴＩＮＯ　ＧＡＲＡＶＡＮＩ）氏がデザインした婦人服、紳士服、アクセサリー、バッグ、香水等のファッション関連の商品におけるデザイナーブランドとして、少なくとも本願商標の出願前において、わが国の取引者、需要者の間に広く知られていたものであって、それら商品の話題性、需要者層の共通事情等よりして、その著名性は眼鏡、電気式ヘアカーラーを含む本願の指定商品の分野にも及んでいたものとみるのが相当である。
（結論）
　そうすると、「ＶＡＬＥＮＴＩＮＯ」の文字を含む本願商標をその指定商品について使用した場合、これに接する取引者、需要者は、その構成中の「ＶＡＬＥＮＴＩＮＯ」の文字部分に自ずと注意を惹かれ強く印象づけられ、周知、著名である引用商標「ＶＡＬＥＮＴＩＮＯ」を容易に連想、想起し、その商品が前記デザイナーブランドに係る商品の一種ないし兄弟ブランド、ファミリーブランドであるかの如く誤認し、その商品があたかも上記デザイナーあるいは、同人と何らかの関係にある者の業務に係る商品であるかの如く、商品の出所について混同を生じさせるおそれが少なからずあるものといわなければならない。
　　
３　当審の判断
　本願商標は、「ＳＡＢＬＩＮＡ　ＶＡＬＥＮＴＩＮＯ」の文字を横書きしてなり、指定商品については、前記１のとおりである。
　そして、本願商標についてした上記審尋の内容は妥当であって、本願商標は、他人の業務に係る商品を表示するものとして需要者間において広く認識されるに至った、いわゆる著名な「ＶＡＬＥＮＴＩＮＯ」「Ｖａｌｅｎｔｉｎｏ」（ヴァレンティノ）商標（以下「引用商標」という。）を含むものであるから、請求人が、これをその指定商品について使用した場合、これに接する取引者、需要者は、引用商標を容易に連想・想起し、当該商品が恰も前記デザイナーブランドに係る商品の一種ないし、その兄弟ブランド、ファミリーブランドであるか、あるいは、上記デザイナー若しくは同人と何らかの関係にある者の業務に係る商品であるかの如く誤認し、その出所について混同を生ずるおそれが少なからずあるものといわなければならない。
　そして、請求人は、上記審尋に対して所定の期間を経過するも何ら意見を述べていないだけでなく、その後、当審における平成１５年６月３日付手続中止通知送付後の同１６年４月７日に送付した手続中止解除通知後も意見をもって何ら述べるところがない。
　以上によれば、本願商標は、商標法第４条第１項第１５号に該当するものといわざるを得ないから、同旨の理由により本願を拒絶した原査定は妥当であって、取り消すことはできない。
　よって、結論のとおり審決する。